(57)【要約】  電気又は電子データキャリア又は文書キャリア（１００）、並びに少なくとも１つの基地局又は中央局、特に少なくとも１つの読み取り／書き込み端末と、少なくとも１つの電気又は電子データキャリア又は文書キャリア（１００）との間の通信、特にデータ及び／又はエネルギの非接触伝送及び／又は非接触交換の方法を、データ及び情報がデータキャリア又は文書キャリア（１００）のユーザ又は所有者の同意、認識及び／又は援助無しでデータキャリア又は文書キャリア（１００）から読み取られることができないように更に発展させるために、データキャリア又は文書キャリア（１００）が、広げられた又は開いた状態として定義される第１の位置（Ａ）と折り畳まれた又は閉じた状態として定義される第２の位置（Ｂ）との間で移動されることができること、及びデータキャリア又は文書キャリア（１００）が、実質的に第１の位置（Ａ）のみ若しくは実質的に第２の位置（Ｂ）のみ又は実質的に第１の位置（Ａ）と第２の位置（Ｂ）との間の位置のみで前記基地局又は中央局に結合されることが提案されている。
2007510983.tif 000002
【特許請求の範囲】
【請求項１】
少なくとも１つの基地局又は中央局、特に少なくとも１つの読み取り／書き込み端末との通信、特にデータ及び／又はエネルギの非接触伝送及び／又は非接触交換を行うように設計された電気又は電子データキャリア又は文書キャリアであって、前記データキャリア又は文書キャリアは、少なくとも１つの第１の領域又は少なくとも１つの第１のページ、特にフロント領域又はフロントページ、少なくとも１つの第２の領域又は少なくとも１つの第２のページ、特にバック領域又はバックページ、及び前記第１の領域又は第１のページと前記第２の領域又は第２のページとの間に設けられた少なくとも１つの接続軸を持ち、前記少なくとも１つの接続軸の周りで前記第１の領域又は第１のページ及び前記第２の領域又は第２のページが、広げられた又は開いた状態として定義される第１の位置と折り畳まれた又は閉じた状態として定義される第２の位置との間で互いから離れるように又は互いに向かって折り曲げられることができ、前記データキャリア又は文書キャリアは、少なくとも１つの電気又は電子回路と、前記データキャリア又は文書キャリアを前記基地局又は中央局に結合するように前記回路に導電的に接続された少なくとも１つの結合素子とを持ち、前記結合素子は、前記第１の領域又は第１のページに部分的に埋め込まれ又は一体化され、且つ前記第２の領域又は第２のページに部分的に埋め込まれ又は一体化され、前記データキャリア又は文書キャリアが、実質的に前記第１の位置においてのみ、若しくは実質的に前記第２の位置においてのみ、又は実質的に前記第１の位置と前記第２の位置との間の位置においてのみ前記基地局又は中央局に結合されることができるように設計され、前記結合素子が少なくとも１つの容量素子、例えば少なくとも１つのキャパシタとして設計されることを特徴とするデータキャリア又は文書キャリア。
【請求項２】
前記結合素子が、例えば板の形で設計された少なくとも１つのキャパシタとして設計され、容量素子の少なくとも１つの第１の板が前記第１の領域又は第１のページに埋め込まれ、前記容量素子の少なくとも１つの第２の板が前記第２の領域又は第２のページに埋め込まれ、これらの埋め込みは、前記第１の位置において、前記データキャリア又は文書キャリアに対する前記基地局又は中央局によるアクセスが可能にされるように、前記容量素子が前記データキャリア又は文書キャリアの完全な領域を仮定し、前記第２の位置において、前記データキャリア又は文書キャリアに対する前記基地局又は中央局によるアクセスが可能でなくなるように、前記容量素子の前記第１の板及び前記容量素子の前記第２の板が互いの上に位置するような態様で行われることを特徴とする、請求項１に記載のデータキャリア又は文書キャリア。
【請求項３】
前記容量素子の前記第１の板及び前記容量素子の前記第２の板が、個別に互いに接続される異なる領域上に形成され、
個別の部分領域間の選択された電気接続が個別の符号化に対して使用されることができるように、前記容量素子の前記第１の板及び前記容量素子の前記第２の板が、前記接続軸を越えて延在する噛み合わせを持つ、
ことを特徴とする、請求項２に記載のデータキャリア又は文書キャリア。
【請求項４】
請求項１ないし３の何れか一項に記載の少なくとも１つの電気又は電子データキャリア又は文書キャリアとの通信、特にデータ及び／又はエネルギの非接触伝送及び／又は非接触交換に対する基地局又は中央局、特に読み取り／書き込み端末。
【請求項５】
前記中央局が、請求項３に記載のデータキャリア又は文書キャリアの前記容量素子の部分領域の幾何学的構造に適合された幾何学的構造を持ち、前記データキャリア又は文書キャリアに含まれた情報により前記符号化の情報を与えられ、これにより個別の板の表面の電気接続の同一の選択の場合のみに通信が行われることができる、請求項４に記載の基地局又は中央局。
【請求項６】
請求項１ないし３の何れか一項に記載の少なくとも１つの電気又は電子データキャリア又は文書キャリアと、請求項３に記載の少なくとも１つの基地局又は中央局、特に読み取り／書き込み端末とを持つ電気又は電子通信システム。
【請求項７】
少なくとも１つの特定の機械可読文書、特に渡航文書（いわゆるＭＲＴＤ（機械可読渡航文書））、例えば少なくとも１つの個人識別カードのような少なくとも１つの識別文書、又は例えば少なくとも１つのパスポートのような少なくとも１つのパス文書、又は例えば少なくとも１つの居住許可証のような少なくとも１つのビザにおける、請求項１ないし３の何れか一項に記載の少なくとも１つの電気又は電子データキャリア又は文書キャリア、請求項４又は５に記載の少なくとも１つの基地局又は中央局、特に読み取り／書き込み端末、及び／又は請求項６に記載の少なくとも１つの電気又は電子通信システムの使用。
【発明の詳細な説明】
【技術分野】
【０００１】
本発明は、少なくとも１つの基地局又は中央局、特に少なくとも１つの読み取り／書き込み端末との通信、特にデータ及び／又はエネルギの非接触伝送及び／又は非接触交換に対して設計された電気又は電子データキャリア又は文書キャリアに関し、前記データキャリア又は文書キャリアは、少なくとも１つの電気又は電子回路及び前記回路に導電的に接続された少なくとも１つの結合素子、特に前記データキャリア又は文書キャリアを前記基地局又は中央局に結合する少なくとも１つの結合素子を持つ。
【０００２】
本発明は、更に、少なくとも１つの基地局又は中央局、特に少なくとも１つの読み取り／書き込み端末と、少なくとも１つの電気又は電子データキャリア又は文書キャリアとの間で、通信、特にデータ及び／又はエネルギの非接触伝送及び／又は非接触交換に対する方法に関する。
【背景技術】
【０００３】
初めに述べられたタイプの非接触型データキャリア又は文書キャリアが、基地局又は中央局、例えば適切な読み取り／書き込み端末の対応して変調された電磁ＲＦ（無線周波数）場に入る、又はこのような電磁場にさらされる場合、一般に、前記データキャリア又は文書キャリアは、少なくともこれ自体がこのようなものとして識別されることを可能にする。
【０００４】
これにより、前記データキャリア又は文書キャリアと前記基地局又は中央局との間のデータ及び／又は情報の伝送が開始されることができる。多くの場合、前記データキャリア又は文書キャリアが認識されることは、関連した理由、例えばデータ保護及び／又は感情的感覚の理由で望ましくない。
【０００５】
したがって前記データキャリア又は文書キャリアの単純な応答によってでさえ、ユーザ又は所有者の許可、認識及び／又は援助無しで、特定の識別鍵を持つこのデータキャリア又は文書キャリアが前記基地局又は中央局の電磁場内にあることを検出することは可能である。
【０００６】
これに関連して特定の意義を持つのは、銀行取引及び財務、並びに／又は保護を必要とする個人の、私有の若しくは極秘のデータの処理に関連した応用であり、これらのデータは、運転免許証、ＩＤ（識別）カード又はパスポートのような公式の又は中央政府の（sovereign）文書を含む。
【０００７】
したがって、例えばローカルな公的輸送システムにおいて、前記非接触型データキャリア又は文書キャリアからの金銭の比較的単純な差し引きは、ユーザの利便性の理由で望ましいので、運賃を払う広く認められた手段を表すのに対し、他の応用の場合には前記データキャリア又は文書キャリアの所有者の許可、認識及び／又は援助無しで個人のデータが読み取られる可能性を防ぐのに必要であり、換言すると、これは個人データ及び情報の読み取りが、何らかの形で前記データキャリア又は文書キャリアのユーザ又は所有者の同意を必要とすべきであることを意味する。
【０００８】
世界中で全ての渡航文書を管理データ及び追加としてバイオメトリックデータを記憶する非接触型データキャリア又は文書キャリアに備えるという現行の意図により、前記ユーザ又は所有者の許可、認識及び／又は援助無しの前記データキャリア又は文書キャリアの自動応答の態様は、特に現在の状況に特に関連するようになる。
【０００９】
データ及び情報が前記ユーザ又は所有者の許可、認識及び／又は援助無しで読み取られることに対する保護の欠如は、特にデータ保護責任者又は消費者組織により、非接触型データキャリア又は文書キャリアに備えられた渡航文書の計画された導入に対する大きなハードルと見なされている。
【００１０】
一体化されたボタン又はスイッチを用いる、又は−読み取り装置のＨＦ（高周波）電磁場をスクリーニングするいわゆる“ファラデー箱”としての−スリーブを用いるこれまでに提案された解決法は、あまり実際的ではなく、したがって市場で主張することができないことが証明されており、後者の場合、例えば、ＩＤ又は渡航パスは、常に使用前に前記スリーブから取り出されなければならず、これは面倒であり、扱いにくいとされる。
【００１１】
ここで従来技術では、非接触型データキャリア又は文書キャリアの制御の一般的な領域に関して、特に折畳式のコイル又はアンテナを考慮して、データ記憶システムに関する欧州特許公開公報ＥＰ０２９２２４９Ａ２に注目しなければならない。ここで紙の文書の場合に存在するセキュリティ問題を克服するために、文書又はオブジェクトに添付されるのは、例えば“オンボード”処理又は記憶を行う“スマートカード”のタイプの電子トークンである。
【００１２】
使用時において、前記文書又はオブジェクトは、公開公報ＥＰ０２９２２４９Ａ２による電子トークンが非接触の態様で外部の読み取り／書き込みユニットに結合されるように構成される。前記トークンによって、セキュリティ感受情報は、アクセス又は追加されることができ、実際に、正しいパスワードを持ち、これを行うことを許可された人により独占的に行われることができる。
【００１３】
公開公報ＥＰ０２９２２４９Ａ２による電子トークンは、パス及び小切手帳等に備えられることもでき、他の可能な使用法は、この方法で運転免許証及び税金、これまでの車の持ち主、及び／又は前記車の所有者及び運転者に関するデータに関する詳細を記憶するために、車に電子トークンを備えることにある。
【００１４】
欧州特許公開公報ＥＰ０７８０００７Ａ１において、薄いフレキシブル電子高周波識別回路が開示され、これは、絶縁フレキシブル基板、アンテナ、回路チップ及び１つ以上の接続リードを持つ。前記基板は、前記チップが配置される凹所を持ち、前記チップは、前記凹所において前記基板と前記チップとの間の距離を埋める封止（encapsulation）により覆われる。
【００１５】
欧州特許公開公報ＥＰ１２５８９４３Ａ１から、シールドの１つを第２のアンテナとして使用する折畳式の携帯電話が知られている。
【００１６】
更に、従来技術に関して、公開公報ＪＰ２０００−３０１８６１、ＵＳ２００２／０１２９４８８Ａ１及びＵＳ２００３／００５０００９Ａ１も参照されることができる。
【００１７】
更に、公開公報ＤＥ１９７２１０５７から、少なくとも２つのカード素子を持つカードの形式のデータキャリアが知られており、前記少なくとも２つのカード素子の少なくとも１つは電気接続を持ち、前記少なくとも２つのカード素子は、前記カードの起動が閉じた状態のみに可能であるように実行されるデータ及びエネルギの伝送に対するコイルを持つ。
【発明の開示】
【発明が解決しようとする課題】
【００１８】
上で概説された不利点及び欠点から始めて、ここに概説される従来技術を認識すると、本発明の目的は、結合素子が可能な限り少ない費用で製造されることができるように、初めに述べられたタイプのデータキャリア又は文書キャリアを更に発展させることである。
【課題を解決するための手段】
【００１９】
この目的は、請求項１に記載のフィーチャを持つデータキャリア又は文書キャリアにより達成される。本発明の有利な設計及び好都合な他のフィーチャは、夫々の従属請求項において特徴付けられる。
【００２０】
本発明は、非接触型データキャリア又は文書キャリアに対するアクセスの自動開放の原理、又は非接触型データキャリア又は文書キャリアに対する自動アクセス制御の原理、即ち、容量素子として設計された少なくとも１つの結合素子が非接触型データキャリア又は文書キャリアを持つ文書、例えばパスポート内に適切な態様で配置されることから、本発明によるデータキャリア又は文書キャリアが所望のアクセスと不正アクセスとの間で区別することを可能にする原理にも基づく。
【００２１】
このような容量素子は、（例えば電気鍍金によって）製造するのが容易であり、したがって非常に経済的に配置されることができる。
【００２２】
本発明の好都合な実施例において、典型的な機械可読渡航文書（いわゆるＭＲＴＤ）のいわゆる“ブックレット”構造が使用されることができる。
【００２３】
このデータキャリア又は文書キャリア及びこれに関する動作手順の他のフィーチャによると、容量結合は少なくとも２つのキャパシタによって生じる。前記キャパシタの一方の板が前記文書のフロントページに及び前記文書のバックページに夫々挿入される。前記キャパシタの対応する他方の板は前記基地局又は中央局の構成部分である。
【００２４】
容量結合の他の設計は、前記文書の前記２つの容量板が接続軸を越えて延在するが、互いに噛み合う場合に得られる。これにより、前記文書が開かれる場合、非常に短い距離だけで通信が可能であり、更に、前記基地局又は中央局及び前記データキャリア又は文書キャリア内の結合素子が同じ構造を持ち、前記結合素子が互いに十分に位置合わせされている場合のみにこれが可能である。前記データキャリア又は文書キャリアと前記基地局又は中央局との間のより大きな距離の場合に、噛み合わされた（toothed）キャパシタ板の電場は、これら自体を大幅に補正し、この結果、データ伝送が行われることができない。したがって、無意図的に開かれた文書の場合でさえ、前記データは高度に保護される。
【００２５】
追加の符号化を達成するために、噛み合わせ（toothing）は、特定的に各データキャリア又は文書キャリアに対してセットされることができる。いずれの噛み合わせが前記データキャリア又は文書キャリア内に存在するかだけが、例えば暗号化された態様で前記文書内に記憶されることができ、前記文書の信頼性が確認される場合に例えば光学的方法で読み取られることができる。前記基地局又は中央局は、この場合、対応する噛み合わせをセットすることができる。追加の符号化はこのように達成される。
【００２６】
本発明は、更に、上述のタイプによる少なくとも１つの電気又は電子データキャリア又は文書キャリアとの通信、特にデータ及び／又はエネルギの非接触伝送及び／又は非接触交換に対する基地局又は中央局、特に読み取り／書き込み端末に関する。
【００２７】
本発明は、更に、上述のタイプによる少なくとも１つの電気又は電子データキャリア又は文書キャリアと、上述のタイプによる少なくとも１つの基地局又は中央局、特に読み取り／書き込み端末とを持つ電気又は電子通信システムに関する。
【００２８】
本発明は、最後に、特に少なくとも１つの機械可読文書、特に渡航文書（いわゆるＭＲＴＤ（機械可読渡航文書））、例えば少なくとも１つの個人識別カードのような少なくとも１つの識別文書、又は例えば少なくとも１つのパスポートのような少なくとも１つのパス文書、又は例えば少なくとも１つの居住許可のような少なくとも１つのビザにおける、上述のタイプによる少なくとも１つの電気又は電子データキャリア又は文書キャリア、及び／又は上述のタイプによる少なくとも１つの基地局又は中央局、特に読み取り／書き込み端末、及び／又は上述のタイプによる少なくとも１つの電気又は電子通信システム、及び／又は上述のタイプによる方法の使用に関する。
【００２９】
既に上で論じられたように、本発明の理論を有利に実施し、更に発展させる様々なオプションが存在する。これに関し、一方で、請求項１に従属する請求項に言及し、他方で本発明の他の設計、フィーチャ及び利点が、以下により詳細に説明され、前記例に基づき、図１Ａないし６Ｂにより図示される６つの実施例の実施を含む。
【００３０】
同じ又は同様な設計、要素又はフィーチャは、図１Ａないし６Ｂにおいて同一の参照番号を与えられる。
【発明を実施するための最良の形態】
【００３１】
図１Ａないし６Ｂにより図示された本発明の６つの実施例において、各場合において、電気又は電子回路１０（＝いわゆるＩＣ（集積回路））を持つデータキャリア又は文書キャリア１００が示されている。データキャリア又は文書キャリア１００は、本発明による方法により動作し、基地局又は中央局、特に読み取り／書き込み端末と通信するように設計される。
【００３２】
図１Ａ及び１Ｂによる第１の実施例の場合、象徴的に３巻きを持つコイルが、非接触型データキャリア又は文書キャリア１００の誘導結合素子３６としてマルチページ文書、例えばパスポートに一体化される。このコイル３６は、集積回路（構成）１０に導電的に接続され（２０）、データキャリア又は文書キャリア１００を前記基地局又は中央局に結合する働きをする。
【００３３】
本発明の重要なフィーチャは、ここで、この誘導素子３６が、従来的のように、フロントページ１２（＝図１Ａにおける左半分）のみ又はバックページ１６（＝図１Ａにおける右半分）のみのいずれかに設計されることはないが、フロントページ１２及びバックページ１６における共通コイルとして設計されることであると見られることができる（図１Ａから見られることができるように、フロントページ１２とバックページ１６との間に走っているのは共通接続軸１４であり、共通接続軸１４の周りで、フロントページ１２及びバックページ１６は、互いに対して折り畳まれ、又は傾けられることができる）。
【００３４】
これにより、本発明によると、前記文書が開いた状態（＝図１Ａによるいわゆる第１の位置Ａ、即ち広げられた又は開いた状態）にある場合、ＨＦ（高周波）電磁場が統合的に検出されることが保証され、図１Ａによると、前記パスが開かれた場合、コイル３６は完全な領域を持ち、これにより前記基地局又は中央局による前記データ及び情報に対するアクセスが可能になることが保証される。
【００３５】
前記パスポートの折り畳まれた状態（図１Ｂによるいわゆる第２の位置Ｂ、即ち折り畳まれた又は閉じた状態）において、他方では、コイル３６の巻きは、誘導電圧が前記誘導電圧自体を補正し、外側からの、例えば前記基地局又は中央局によるデータキャリア又は文書キャリア１００へのアクセスが可能でない（図１Ｂ参照、前記パスは閉じられ、前記データ及び情報に対するアクセスは可能ではない）ように互いの上に位置する。
【００３６】
前記パスが光学的又は視覚的読み取りに対して開かれている場合にのみ、コイル３６の巻きは、対応する読み取り／書き込み端末と結合するのに十分な領域を形成するように自由である。
【００３７】
代替的に、データキャリア又は文書キャリア１００の第１の領域又は第１のページ１２、特にフロント領域又はフロントページの代わりに、及びデータキャリア又は文書キャリア１００の第２の領域又は第２のページ１６、特にバック領域又はバックページの代わりに、前記文書の他の適切なページも本発明の意味で使用されることができる。
【００３８】
図２により図示される本発明の変形例の場合、コイル３６’をカバー１２及びバックページ１６上にストリップＳとしてのみ配置することも可能である。これは、特に、コストの利点をもたらすことができる（図２参照、ストリップＳとして小さなコイル３６’を持つ第２の実施例、開いた状態Ａ）。残りの部分に対して、図２による第２の実施例の設計、フィーチャ及び利点に関して、不必要な繰り返しを避けるために、図１Ａ及び１Ｂによる第１の実施例に関して上で与えられた説明を明示的に参照する。
【００３９】
図３により図示された本発明の他の変形例において、コイル３４は、広げられた文書の第２のページ−図３における右側のページ１６−に置かれておらず、第２の領域又は第２のページ１６には、代わりに板３０の形の金属領域が設けられ、これによりコイル３４は、データキャリア又は文書キャリア１００の閉じた状態Ｂにおいて完全に覆われ、この結果、金属板３０によるコイル３４の補正が行われる。
【００４０】
第１の領域又は第１のページ１２内に配置されたコイル３４の完全な被覆を保証するために、金属板３０は、少なくともコイル３４のサイズであり、データキャリア又は文書キャリア１００の開いた状態Ａにおいて（図３参照）、接続軸１４に関して、実際のコイル３４に対する鏡に映したような位置を仮定する。
【００４１】
金属板３０内で生じる渦電流損により、誘導結合素子（＝コイル３４）に対する金属板３０の接近は、コイル３４に対する１つ以上の基地局又は中央局、例えば１つ以上の読み取り／書き込み端末によるアクセスを防ぐ。しかしながら、開いた状態Ａにおいては（図３参照）、この板３０は効果が無いままである。
【００４２】
真ん中の点線により図３から見られることができるように、板３０は、導電的態様（＜−＞導体素子３０と結合素子３４との間の導電接続３２）においてコイル３４に接続されることができ、又は完全に絶縁されて挿入されることができる。
【００４３】
平らな文書に対して関連することができる他の実行及び設計オプションは、接続軸１４の領域、即ち図４の真ん中におけるコイル３８の交差した構成の場合に得られる。コイル３８の巻きが交差点３８ｋ上で真ん中に通される場合、データ及び情報は、閉じた状態Ｂのみに読み取られることができる。
【００４４】
他方で開いた状態Ａにおいて（図４参照）、データキャリア又は文書キャリア１００は、読み取り／書き込み端末による読み取り又は接触を禁じられ、又は読み取りは、非常に狭い結合を持つ対応して設計された読み取り／書き込み端末を用いてのみ可能である（図４参照、本発明の第４の実施例としての交差された巻きを持つ構成）。
【００４５】
図５Ａ及び５Ｂにより図示された本発明の第５の実施例の場合に、誘導結合の代わりに、容量結合４０ａ、４０ｂが採用され、ここで容量結合データキャリア又は文書キャリア１００は、一般に、コイルの代わりに２つの板の対、即ち読み取り／書き込みモジュール（＝基地局又は中央局）において互いに隣接している２つの板、及びデータキャリア又は文書キャリア１００において互いに隣接している２つの板４０ａ、４０ｂを使用する。
【００４６】
データキャリア又は文書キャリア１００及び前記読み取り／書き込みモジュールの板の対が互いに近くに移動される場合、これらの板の対の間でのエネルギ及びデータの伝送、並びに前記読み取り／書き込みモジュールとデータキャリア又は文書キャリア１００との間の通信は、誘導システムと同等に行われることができる。
【００４７】
本発明の精神において、ここで、キャパシタ板４０ａをフロントページ１２に対して及びキャパシタ板４０ｂをバックページ１６に対して夫々（又はデータキャリア若しくは文書キャリア１００の内側のページに適宜）適合することができる（図５Ａ参照、横領結合４０ａ及び４０ｂを持つ開かれたパス）。
【００４８】
閉じた文書の場合（図５Ｂ参照、容量結合４０ａ及び４０ｂを持つ閉じたパス）、これらの板４０ａ及び４０ｂは、差分信号が前記読み取り／書き込みモジュールに供給され、且つ評価されなければならないので、エネルギ及びデータの伝送、並びに前記読み取り／書き込みモジュールとデータキャリア又は文書キャリア１００との間の通信が行われることができるように互いの上に位置する。
【００４９】
図６は、前記キャパシタ板の代替的な実行を表す。ここで、容量素子４０ａ及び４０ｂは、互いに噛み合わされ、互いに適切に接続された異なる素子の形で設計されている。これらの相互に連動する素子は、異なる長さであることができ、これは個別の符号化に使用されることができる。
【００５０】
締めくくりに、上で使用される用語“通信”が、データ及び／若しくはエネルギの無線若しくは非接触交換、又はデータ及び／若しくはエネルギの無線若しくは非接触伝送を意味すると取られることに注意する。
【００５１】
これは、特に、本発明を通して、データ通信を目的とする結合素子、例えばデータ通信を目的とするコイルが、データキャリア又は文書キャリア１００の前記第１の領域又は第１のページ、例えば前記フロント領域又はフロントページのみに提供される（これは従来技術による構成に対応する）のに対し、エネルギ伝送を目的とする結合素子、例えばエネルギ伝送を目的とするコイルが、前記第１の領域又は第１のページ及び前記第２の領域又は第２のページ、即ち例えばバック領域又はバックページの両方にわたり延在する例示的実施例も含まれ、これにより上述の効果が本発明の意味で得られることを意味する。
【図面の簡単な説明】
【００５２】
【図１Ａ】広げられた又は開いた状態における、本発明による方法により動作する本発明によるデータキャリア又は文書キャリアに対する第１の実施例を概略的な態様で示す。
【図１Ｂ】折り畳まれた又は閉じた状態における図１Ａからのデータキャリア又は文書キャリアを概略的な態様で示す。
【図２】広げられた又は開いた状態における、本発明による方法により動作する本発明によるデータキャリア又は文書キャリアに対する第２の実施例を概略的な態様で示す。
【図３】広げられた又は開いた状態における、本発明による方法により動作する本発明によるデータキャリア又は文書キャリアに対する第３の実施例を概略的な態様で示す。
【図４】広げられた又は開いた状態における、本発明による方法により動作する本発明によるデータキャリア又は文書キャリアに対する第４の実施例を概略的な態様で示す。
【図５Ａ】広げられた又は開いた状態における、本発明による方法により動作する本発明によるデータキャリア又は文書キャリアに対する第５の実施例を概略的な態様で示す。
【図５Ｂ】折り畳まれた又は閉じた状態における図５Ａからのデータキャリア又は文書キャリアを概略的な態様で示す。
【図６Ａ】広げられた又は開いた状態における符号化された噛み合わせを持つキャパシタ板の代替的な設計を概略的な態様で示す。
【図６Ｂ】折り畳まれた又は閉じた状態における図６Ａからのデータキャリア又は文書キャリアを概略的な態様で示す。
【符号の説明】
【００５３】
１００：電気又は電子データキャリア又は文書キャリア
１０：電気又は電子回路
１２：データキャリア又は文書キャリア１００の第１の領域又は第１のページ、特にフロント領域又はフロントページ
１４：第１の領域又は第１のページ１２と第２の領域又は第２のページ１６との間の接続軸
１６：データキャリア又は文書キャリア１００の第２の領域又は第２のページ、特にバック領域又はバックページ
２０：電気又は電子回路１０と結合素子３４、３６、３６’、３８、４０ａ、４０ｂとの間の導電接続
３０：導体素子、特に金属板
３２：導体素子３０と結合素子３４との間の導電接続
３４：結合素子、特に誘導素子、例えばコイル（第３の実施例、図３参照）
３６：結合素子、特に誘導素子、例えばコイル（第１の実施例、図１Ａ及び１Ｂ参照）
３６’：結合素子、特に誘導素子、例えばコイル（第２の実施例、図２参照）
３８：結合素子、特に誘導素子、例えばコイル（第４の実施例、図４参照）
３８ｋ：結合素子３８の巻きの交差点
４０ａ、４０ｂ：結合素子、特に容量素子、例えばキャパシタ（第５の実施例、図５参照）
４０ａ：容量素子４０ａ、４０ｂの第１の板
４０ｂ：容量素子４０ａ、４０ｂの第２の板
Ａ：第１の位置、即ち広げられた又は開いた状態
Ｂ：第２の位置、即ち折り畳まれた又は閉じた状態
Ｓ：ストリップ
【図１Ａ】
2007510983.tif 000003
【図１Ｂ】
2007510983.tif 000004
【図２】
2007510983.tif 000005
【図３】
2007510983.tif 000006
【図４】
2007510983.tif 000007
【図５Ａ】
2007510983.tif 000008
【図５Ｂ】
2007510983.tif 000009
【図６Ａ】
2007510983.tif 000010
【図６Ｂ】
2007510983.tif 000011
【国際調査報告】
2007510983.tif 000012
2007510983.tif 000013